(57)【特許請求の範囲】
【請求項１】
建物開口部に固定される窓枠と、この窓枠に上下スライド自在に支持される少なくとも１枚の可動障子と、この可動障子の室外側に沿って前記窓枠に固定される室外側面状体とを備えた建具であって、
前記室外側面状体は、前記窓枠と別体で構成され上下左右の框材を四周框組みした面状体枠と、この面状体枠内部を上下に仕切る少なくとも１本の中間框材と、前記面状体枠の框材および前記中間框材に保持される室外面材と、この面材の上側および下側の少なくとも一方に隣接して設けられる通気可能な通気面材とを有し、
前記可動障子は、前記通気面材の室内側に位置するとともに当該可動障子の召合せ框が前記中間框材の室内側に重なる閉鎖位置と、前記室外面材の室内側に重なる開放位置との間を開閉移動自在に前記窓枠に支持され、
前記室外側面状体は、前記面状体枠内部に中間框材、室外面材および通気面材を組み込んだ状態で、前記窓枠に対して室外側から上下けんどん式で建て込まれ、前記面状体枠の上下の框材が前記窓枠の上枠および下枠にそれぞれ係止されるとともに、前記面状体枠の左右の框材が前記窓枠の縦枠に室内側からの固着具で固定され、
前記固着具は、前記可動障子の開閉移動範囲を外れた位置に設けられている建具。
【請求項２】
前記室外側面状体の前記通気面材は、上部通気面材および下部通気面材の上下一対で前記面状体枠内部に設けられ、前記室外面材は、前記上部通気面材と下部通気面材との間に設けられ、前記中間框材は、前記上部通気面材と前記室外面材とを仕切る上部中間框材、および前記下部通気面材と前記室外面材とを仕切る下部中間框材の２本で構成され、
前記可動障子は、互いに略同一見込み位置かつ上下に離隔した位置にて前記窓枠に支持される上部可動障子および下部可動障子の上下一対で構成され、
前記上部可動障子は、前記上部通気面材の室内側に位置するとともに当該上部可動障子の召合せ框が前記上部中間框材の室内側に重なる閉鎖位置と、前記室外面材の室内側に重なる開放位置との間を開閉移動自在に構成され、
前記下部可動障子は、前記下部通気面材の室内側に位置するとともに当該下部可動障子の召合せ框が前記下部中間框材の室内側に重なる閉鎖位置と、前記室外面材の室内側に重なる開放位置との間を開閉移動自在に構成されている請求項１に記載の建具。
【請求項３】
前記通気面材は、前記面状体枠の左右の框材間に渡って設けられる複数の通気部材を有して構成され、これらの通気部材間には、下方に向いた室外側開口を有しかつ当該通気面材の室内外に渡る通気経路が形成され、
前記中間框材には、前記室外面材の端縁を保持する面材保持部と、前記通気面材の通気部材に所定の隙間を介して対向する中間突片部とを有して構成され、前記中間突片部と前記通気部材との間には、下方に向いた室外側開口を有しかつ室内外に渡る中間部通気経路が形成されている請求項１または請求項２に記載の建具。
【請求項４】
前記面状体枠における上下の框材のうち、前記通気面材と隣接する框材には、前記通気部材に所定の隙間を介して対向する突片部が形成され、前記突片部と前記通気部材との間には、下方に向いた室外側開口を有しかつ室内外に渡る端部通気経路が形成されている請求項３に記載の建具。
【発明の詳細な説明】
【技術分野】
【０００１】
本発明は、建具に関し、詳しくは、窓枠と、この窓枠内に支持された可動障子とを備えた上げ下げ窓等の建具に関する。
【背景技術】
【０００２】
住宅等の外壁開口部に設けられる建具として、上下一対の障子を備えた上げ下げ窓が知られている（例えば、特許文献１〜３参照）。
特許文献１、２には、窓枠と、この窓枠の上半分に固定された固定障子（外障子）やガラスパネルと、この固定障子の室内側に沿って上下にスライド開閉自在に設けられた可動障子（内障子、下部障子）とを備えたシングルハングの上げ下げ窓が開示されている。一方、特許文献３には、内障子のみならず外障子も上下にスライド開閉自在に設けられたダブルハングの上げ下げ窓が開示されている。そして、特許文献２、３に記載の上げ下げ窓は、外障子よりも室外側において窓枠に支持された網戸を有して構成され、特許文献２における網戸は、外障子の下側開口を覆う位置と外障子の室外側に重なる位置との間を上下開閉移動自在に設けられ、特許文献３における網戸は、窓枠全体の開口を覆うように窓枠に固定されている。このような網戸を有した上げ下げ窓では、通気可能な通気部材として網戸が機能するため、可動障子を開放することで虫等の侵入を防止しつつ外気を取り入れる（あるいは内気を室外に排気する）ことができるようになっている。
【０００３】
ところで、特許文献２、３に記載されたような網戸では、雨の降り込みを防止する機能（防雨性）や防犯機能（防犯性）がないため、可動障子を開放した状態でも防雨性や防犯性が確保できるように、上げ下げ窓の室外側に外部ブラインドを設けた建具が提案されている（例えば、特許文献４参照）。
特許文献４に記載された外部ブラインドは、上げ下げ窓の窓枠よりも室外側に突出して設けられた上部ケースおよび縦レールと、上部ケースに格納可能かつ縦レールに沿って開閉移動可能な複数のスラットとを有して構成されている。このような外部ブラインドでは、上げ下げ窓の室外面を覆う位置に複数のスラットを下降させることで防犯性が確保され、室外側に向かって下り勾配としつつ上下のスラット同士が重なるようにスラットを傾斜させることで、上窓開口部への雨の降り込みも防止できるようになっている。
【０００４】
【特許文献１】特開２００３−１７６６６７号公報
【特許文献２】特開平６−３１３３８４号公報
【特許文献３】特開２００３−６４９６６号公報
【特許文献４】特開２００６−２４１７４０号公報
【発明の開示】
【発明が解決しようとする課題】
【０００５】
しかしながら、前記特許文献２、３に記載された上げ下げ窓では、網戸を支持するための網戸レールや取付片を外障子よりも室外側の窓枠に設ける必要があり、特許文献４に記載された上げ下げ窓では、外部ブラインドの縦レール等を設ける必要があり、窓枠の見込み寸法が大きくなってしまう。そして、網戸や外部ブラインドが窓枠や外壁面よりも室外側に突出して設けられているため、上げ下げ窓の外観に凹凸が目立ち、意匠性が劣ってしまうという問題もある。さらに、特許文献４の外部ブラインドでは、窓枠や外壁の室外側に外部ブラインドの上部ケースや縦レールを取り付けることから、外障子の建て込みおよび外部ブラインドの取り付けの両作業を並行して実施することができず、上げ下げ窓の取り付け施工に手間を要するという不都合もある。
【０００６】
本発明の目的は、窓枠の見込み寸法の拡大を防止するとともに外観意匠性が良好にでき、かつ取り付け作業の効率化を図ることができる建具を提供することにある。
【課題を解決するための手段】
【０００７】
本発明の建具は、建物開口部に固定される窓枠と、この窓枠に上下スライド自在に支持される少なくとも１枚の可動障子と、この可動障子の室外側に沿って前記窓枠に固定される室外側面状体とを備えた建具であって、前記室外側面状体は、前記窓枠と別体で構成され上下左右の框材を四周框組みした面状体枠と、この面状体枠内部を上下に仕切る少なくとも１本の中間框材と、前記面状体枠の框材および前記中間框材に保持される室外面材と、この面材の上側および下側の少なくとも一方に隣接して設けられる通気可能な通気面材とを有し、前記可動障子は、前記通気面材の室内側に位置するとともに当該可動障子の召合せ框が前記中間框材の室内側に重なる閉鎖位置と、前記室外面材の室内側に重なる開放位置との間を開閉移動自在に前記窓枠に支持され、前記室外側面状体は、前記面状体枠内部に中間框材、室外面材および通気面材を組み込んだ状態で、前記窓枠に対して室外側から上下けんどん式で建て込まれ、前記面状体枠の上下の框材が前記窓枠の上枠および下枠にそれぞれ係止されるとともに、前記面状体枠の左右の框材が前記窓枠の縦枠に室内側からの固着具で固定され、前記固着具は、前記可動障子の開閉移動範囲を外れた位置に設けられていることを特徴とする。
【０００８】
ここで、少なくとも１枚の可動障子としては、１枚で構成されてもよく、上下一対の２枚の障子（上部障子および下部障子）から構成されていてもよく、３枚以上の障子から構成されていてもよい。そして、このような可動障子と同数の通気面材が室外側面状体に設けられていればよく、１枚または複数枚の通気面材の上下に隣接して室外面材が設けられていればよい。
【０００９】
以上の本発明によれば、室外側面状体において中間框材を介して室外面材と通気面材とを上下に隣接して配置し、中間框材と可動障子の召合せ框とが重なって可動障子が閉じるように構成したことで、可動障子と室外側面状体とが重なる程度の見込み寸法を窓枠が有していればよくなり、通気面材を設けた場合でも窓枠の見込み寸法の拡大を防止することができる。そして、室外面材と通気面材とが同一面内に配置されることで、通気面材が室外側に突出することがないとともに、室外側面状体の外観を凹凸のないフラットなものとすることができ、建具の外観意匠性を向上させることができる。さらに、面状体枠に中間框材、室外面材および通気面材を組み込んだ状態で室外側面状体が窓枠に建て込まれる、つまり室外側面状体がユニット化された状態で窓枠に取り付けられることで、予め工場等で室外側面状体を組み立てておくことも可能になり、建物外壁等への建具の取付作業を効率化して作業性を向上させることができる。
以上の建具では、可動障子を開放することで、通気面材を介した室内外の通気が可能になり、このような通気状態においても、可動障子を開放してできた開口が通気面材で覆われるため、通気面材を所定強度を有した部材から構成しておくことで防犯性を確保することができる。さらに、水返し等を有した部材を適宜組み合わせて通気面材を構成しておくことで、雨の降り込みを防止する機能を通気面材に付与することができ、雨天であっても可動障子を開放して通気することが可能になる。
また、窓枠に対して室外側からけんどん式に室外側面状体を建て込み、上下の框材を上枠および下枠に係止させてから、室内側から固着具で縦枠と縦框とを固定することで、室外側面状体の取付作業の作業性を向上させることができる。すなわち、けんどん式に建て込んだ際に上下の框材を上枠および下枠に係止させることで、作業者が手を離しても室外側面状体が脱落することがなく、固着具による固着作業を同一の作業者が実施することができる。
さらに、縦枠と縦框とを固定する固着具が可動障子の開閉移動範囲を外れて設けられていることで、窓枠に可動障子を建て込んでからでも室外側面状体の取付作業を実施することができ、建具の取付手順における選択の幅を拡大することができ、取り付け作業の効率化を一層促進させることができる。
【００１０】
この際、本発明の建具では、前記室外側面状体の前記通気面材は、上部通気面材および下部通気面材の上下一対で前記面状体枠内部に設けられ、前記室外面材は、前記上部通気面材と下部通気面材との間に設けられ、前記中間框材は、前記上部通気面材と前記室外面材とを仕切る上部中間框材、および前記下部通気面材と前記室外面材とを仕切る下部中間框材の２本で構成され、前記可動障子は、互いに略同一見込み位置かつ上下に離隔した位置にて前記窓枠に支持される上部可動障子および下部可動障子の上下一対で構成され、前記上部可動障子は、前記上部通気面材の室内側に位置するとともに当該上部可動障子の召合せ框が前記上部中間框材の室内側に重なる閉鎖位置と、前記室外面材の室内側に重なる開放位置との間を開閉移動自在に構成され、前記下部可動障子は、前記下部通気面材の室内側に位置するとともに当該下部可動障子の召合せ框が前記下部中間框材の室内側に重なる閉鎖位置と、前記室外面材の室内側に重なる開放位置との間を開閉移動自在に構成されていることが好ましい。
このような構成によれば、窓枠の上下端部に上下の可動障子と上下の通気面材とを配置したことで、上下の可動障子を開放した際の通気効率を高め、快適な室内環境を得ることができる。すなわち、上下に離隔した位置で外気の導入と内気の排出とを行うことで、内気および外気の温度差を利用した重力換気が実施でき、換気扇などを用いなくても換気効率を高めることができる。そして、窓枠の中間部に配置した室外面材を透明または半透明のガラスパネル等で構成することで、効率よく外光を室内に取り込むとともに、視界の開けた開放的な窓を構成することができる。
【００１１】
さらに、本発明の建具では、前記通気面材は、前記面状体枠の左右の框材間に渡って設けられる複数の通気部材を有して構成され、これらの通気部材間には、下方に向いた室外側開口を有しかつ当該通気面材の室内外に渡る通気経路が形成され、前記中間框材には、前記室外面材の端縁を保持する面材保持部と、前記通気面材の通気部材に所定の隙間を介して対向する中間突片部とを有して構成され、前記中間突片部と前記通気部材との間には、下方に向いた室外側開口を有しかつ室内外に渡る中間部通気経路が形成されていることが好ましい。
このような構成によれば、複数の通気部材間に下方に向いた室外側開口を有しかつ室内外に渡る通気経路が形成されることで、通気面材によって雨の降り込みを防止することができる。そして、中間框材に形成した中間突片部と通気部材との間にも中間部通気経路が形成される、つまり中間框材に通気部材と同様の機能や形態を付与したことで、中間框材と通気面材とが連続する部分からの雨の降り込みを防止しつつ、中間框材および通気面材のデザインを共通化することができ、外観意匠性をさらに向上させることができる。
【００１２】
また、本発明の建具では、前記面状体枠における上下の框材のうち、前記通気面材と隣接する框材には、前記通気部材に所定の隙間を介して対向する突片部が形成され、前記突片部と前記通気部材との間には、下方に向いた室外側開口を有しかつ室内外に渡る端部通気経路が形成されていることが好ましい。
このような構成によれば、面状体枠における上下の框材に通気部材と同様の機能や形態を付与したことで、上下の框材と通気面材とが連続する部分からの雨の降り込みを防止しつつ、框材および通気面材のデザインを共通化することができ、外観意匠性を一層向上させることができる。
【発明を実施するための最良の形態】
【００１８】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３および図４は、それぞれ上げ下げ窓１を示す横断面図であって、図３は、図１に矢視III−III線で示す断面図であり、図４は、図１に矢視IV−IV線で示す断面図である。
図１〜図４において、上げ下げ窓１は、戸建て住宅等の建物の外壁２における開口部に設けられて建物の室内空間と室外空間とを仕切るもので、下端位置が床面３と略同一高さ位置に設けられ、上端位置が天井面４と略同一高さ位置に設けられた窓である。
【００１９】
上げ下げ窓１は、上枠１１、下枠１２、および左右の縦枠１３を四周枠組みした窓枠１０と、この窓枠１０の内側に上下スライド開閉自在に支持された上部可動障子２０および下部可動障子３０とを備えて構成されている。窓枠１０は、外壁２開口部周辺の壁パネル等の建物躯体５に固定されている。上部可動障子２０および下部可動障子３０は、それぞれ上框２１，３１、下框２２，３２、および左右の縦框２３，３３を四周框組みした内部に、ガラスパネル（複層ガラス）２４，３４を嵌め込んで構成されている。
【００２０】
また、上部可動障子２０および下部可動障子３０の室外側における窓枠１０内部には、室外側面状体としての固定面材ユニット４０が取り付けられており、この固定面材ユニット４０は、上下左右の框材としての上框４１、下框４２、および左右の縦框４３を四周框組みした面状体枠としてのユニット枠４０Ａと、ユニット枠４０Ａの内部を上下に仕切る２本の中間框材としての上部中間框４４および下部中間框４５と、上下一対の通気面材としての上部通気面材４６および下部通気面材４７と、上部中間框４４および下部中間框４５の間に保持される室外面材としての固定ガラスパネル（複層ガラス）４８とを有して構成されている。また、固定面材ユニット４０における上部通気面材４６および下部通気面材４７の室内側には、それぞれ網戸４９が取り付けられている。
【００２１】
窓枠１０の縦枠１３は、図３および図４に示すように、アルミ形材製の縦枠本体１３１と、この縦枠本体１３１の室内寄りに固定される樹脂製の縦枠レール部材１３２とを有して構成されている。縦枠本体１３１は、見込み方向に延びる見込み面部１３３と、この見込み面部１３３の見込み方向略中央から見付け方向内側に突出する突出片部１３４と、この突出片部１３４の室外側と見込み面部１３３とに渡る縦枠中空部１３５とを有して形成されている。縦枠レール部材１３２は、見付け方向内側に向かって開口した断面略Ｃ字形に形成され、見込み面部１３３室内側端部および突出片部１３４先端部に係合されて縦枠本体１３１に取り付けられており、上部可動障子２０および下部可動障子３０を上下に案内可能に構成されている。
【００２２】
また、図３に示すように、上部可動障子２０および下部可動障子３０の開閉移動範囲を外れた高さ位置における縦枠レール部材１３２には、その開口部を覆う縦枠カバー部材１３６が取り付けられている。さらに、縦枠レール部材１３２には、図２に示すように、開放した上部可動障子２０および下部可動障子３０の各々に当接し、当該障子を開放位置に停止させる障子ストッパー１３７が固定されている。これらの障子ストッパー１３７は、図３に示すストッパー固定金物１３７Ａを介して縦枠レール部材１３２に固定されており、これら上下の障子ストッパー１３７間に渡って縦枠カバー部材１３６が取り付けられている。
【００２３】
上部可動障子２０および下部可動障子３０は、それぞれ縦枠レール部材１３２に案内されて上下にスライド可能に支持されるとともに、上部可動障子２０および下部可動障子３０が同一面内で連動して開閉可能に設けられている。すなわち、上部可動障子２０および下部可動障子３０は、図４に示すように、それぞれの縦框２３，３３下端部位置にスライドシュー（スライド部材）２５，３５が連結されるとともに、図３に示すように、縦框２３，３３上端部位置にラッチ装置２６，３６が取り付けられている。そして、スライドシュー２５，３５が縦枠レール部材１３２の開口内部に支持されるとともに、ラッチ装置２６，３６の係止部（不図示）が縦枠レール部材１３２に係止されることで、上部可動障子２０および下部可動障子３０が上下スライド開閉可能になっている。そして、上部可動障子２０および下部可動障子３０は、図示しない滑車とワイヤを介して互いに連結されるとともに吊り下げ支持されており、例えば下部可動障子３０を開放操作することで上部可動障子２０も開放され、下部可動障子３０を閉鎖操作することで上部可動障子２０も閉鎖されるように構成されている。
【００２４】
以上の上部可動障子２０は、図２に示すように、その上框２１が上枠１１に当接するとともに、下框（召合せ框）２２と固定面材ユニット４０の上部中間框４４とが見込み方向に重なって閉じられる（閉鎖位置）。また、上部可動障子２０は、下方にスライドされて上框２１が上部中間框４４の室内側に略重なるとともに、縦框２３の下端部（スライドシュー２５）が障子ストッパー１３７に当接する開放位置まで開放されるように構成されている。一方、下部可動障子３０は、その下框３２が下枠１２に当接するとともに、上框（召合せ框）３１と固定面材ユニット４０の下部中間框４５とが見込み方向に重なって閉じられる（閉鎖位置）。この閉鎖位置において、下部可動障子３０の上框３１に設けたクレセント錠３７を操作して下部中間框４５の錠受けに３７Ａに係合させることで、下部可動障子３０と、これに連動する上部可動障子２０とが施錠できるようになっている。また、下部可動障子３０は、上方にスライドされて下框３２が下部中間框４５の室内側に略重なるとともに、縦框３３の上端部（ラッチ装置３６）が障子ストッパー１３７に当接する開放位置まで開放されるように構成されている。
【００２５】
次に、図５および図６も参照して上げ下げ窓１の上部および下部の詳細について説明する。
図５は、上げ下げ窓１の上部を拡大して示す縦断面図である。図６は、上げ下げ窓１の下部を拡大して示す横断面図である。
【００２６】
上枠１１は、図５に示すように、アルミ形材製の上枠本体１１１と、この上枠本体１１１の室内寄りに固定される樹脂製の上枠カバー部材１１２とを有して構成されている。上枠本体１１１は、見込み方向に延びる上枠上面部１１３と、この上枠上面部１１３の室外側端部から下方に延びる先端見付け面部１１４と、この先端見付け面部１１４と対向して上枠上面部１１３から下方に突出する第１突出片部１１５と、上枠上面部１１３の見込み方向略中央から下方に突出する第２突出片部１１６とを有して形成されている。そして、第２突出片部１１６の先端部には、室内側に向かって延びるモヘヤが取り付けられており、このモヘヤが閉鎖位置にある上部可動障子２０の上框２１に当接するようになっている。また、第１突出片部１１５の先端部には、室外側に向かって延びるモヘヤが取り付けられており、このモヘヤが固定面材ユニット４０の上框４１に当接するとともに、第１突出片部１１５によって上框４１が係止されて室外側への移動が規制されるようになっている。
【００２７】
固定面材ユニット４０の上框４１は、アルミ形材製の一体成形部材であって、上方に開口した断面コ字形の被係止部４１１と、この被係止部４１１の室外側端部から下方に延びる上框前面部４１２と、被係止部４１１の室内側端部から下方に延びる上框背面部４１３とを有している。さらに、上框４１は、上框前面部４１２と上框背面部４１３とを結んで室内側に下がり勾配を有した上框底面部４１４と、この上框底面部４１４と上框背面部４１３との交差位置から室外側に下がり勾配を有して傾斜した上框傾斜面部４１５と、この上框傾斜面部４１５の室外側端部から下方に延びる突片部としての上框垂下面部４１６と、この上框垂下面部４１６の下端部から室内側に突出した上框突出片部４１７とを有して形成されている。そして、上框垂下面部４１６は、後述する通気部材４６２の通気前面部４６３と略同様の断面形態を有して形成されるとともに、通気部材４６２の通気背面部４６４の室外側に対向して位置するようになっており、上框４１と通気部材４６２との間に端部通気経路である上端部通気経路４１８が形成されている。さらに、上框前面部４１２および上框垂下面部４１６には、通気前面部４６３と同様の凹凸形状が形成されている。
【００２８】
下枠１２は、図６に示すように、アルミ形材製の下枠室外部材１２１および下枠室内部材１２２と、これらを連結する樹脂製の断熱部材１２３と、下枠室内部材１２２の室内側端部に固定される樹脂製の下枠カバー部材１２４とを有して構成されている。下枠室外部材１２１は、それぞれ見込み方向に延びる下枠上面部１２５および下枠底面部１２６と、下枠上面部１２５から上方に延びる立上り片部１２７と、この立上り片部１２７よりも室外側の下枠上面部１２５から上方に突出する突起部１２８とを有して形成されている。そして、立上り片部１２７の上端部および下枠カバー部材１２４には、それぞれ気密部材が取り付けられており、これらの気密部材と閉鎖位置にある下部可動障子３０の下框３２とが当接するようになっている。また、固定面材ユニット４０は、下枠上面部１２５に載置されるとともに、下框４２が突起部１２８に係止されて室外側への移動が規制されるようになっている。
【００２９】
固定面材ユニット４０の下框４２は、アルミ形材製の一体成形部材であって、下枠１２の下枠上面部１２５に載置される室外側載置片部４２１および室内側載置片部４２２と、これらを結んで室外側に下がり勾配を有した下框上面部４２３と、この下框上面部４２３から上方に立ち上がる突片部としての下框背面部４２４と、この下框背面部４２４の上端部から室外側に突出した下框突出片部４２５とを有して形成されている。そして、下框背面部４２４および下框突出片部４２５は、後述する通気部材４７２の通気背面部４７４および上部突出片部４７７と略同様の断面形態を有して形成されるとともに、通気部材４７２の通気前面部４７３の室内側に対向して位置するようになっており、下框４２と通気部材４７２との間に端部通気経路である下端部通気経路４２８が形成されている。そして、下框突出片部４２５は、下端部通気経路４２８に入った雨水等を阻止する水返し片として機能するように構成されている。
【００３０】
次に、固定面材ユニット４０の上部通気面材４６および下部通気面材４７は、図４〜図６に示すように、左右の縦框４３に固定された樹脂製の端部取付部品４６１，４７１と、これらの端部取付部品４６１，４７１間に渡って設けられる複数の通気部材４６２，４７２とを有して構成されている。通気部材４６２，４７２は、アルミ形材製の一体成形部材であって、室外側にて上下に延びる通気前面部４６３，４７３と、室内側にて上下に延びる通気背面部４６４，４７４と、これらを結んで室外側に下がり勾配を有した通気傾斜面部４６５，４７５とを有して全体クランク状に形成されている。さらに、通気部材４６２，４７２は、通気前面部４６３，４７３の下端部から室内側に突出した下部突出片部４６６，４７６と、通気背面部４６４，４７４の上端部から室外側に突出した上部突出片部４６７，４７７とを有して形成されている。
【００３１】
そして、上下に隣接する通気部材４６２，４７２は、互いの通気前面部４６３，４７３と通気背面部４６４，４７４とが見込み方向に対向し、上下の通気部材４６２，４７２同士の間に通気経路４６８，４７８が形成されている。この通気経路４６８，４７８は、上下の通気部材４６２，４７２における通気前面部４６３，４７３間に室外側開口を有し、この室外側開口からクランク状に室内側および上方に折れ曲がって延び、通気背面部４６４，４７４間に室内側開口を有して形成されている。そして、室外側開口から通気経路４６８，４７８に入った雨水等は、通気背面部４６４，４７４で阻止されるとともに、水返し片として機能する上部突出片部４６７，４７７で阻止され下方に落下し、通気傾斜面部４６５，４７５の傾斜に沿って室外側に排出されるようになっている。さらに、風を伴って側方から吹き付ける雨水等が室外側開口から通気経路４６８，４７８に入った場合でも、この雨水等は、下部突出片部４６６，４７６に当たって下方に向きを変え、通気背面部４６４，４７４に当たって落下し、通気傾斜面部４６５，４７５に沿って排出されるようになっている。
【００３２】
以上の固定面材ユニット４０は、ユニット枠４０Ａの内部に上部中間框４４および下部中間框４５と、上部通気面材４６および下部通気面材４７と、固定ガラスパネル４８とを組み込んでユニット化されている。以下、固定面材ユニット４０の構造および取付方法について、図７〜図１１に基づいて説明する。
図７は、上げ下げ窓１から固定面材ユニット４０を取り外した状態を示す分解斜視図である。図８および図９は、それぞれ固定面材ユニット４０の要部を拡大して示す縦断面図である。図１０は、固定面材ユニット４０の固定構造を示す横断面図である。図１１(Ａ)〜(Ｃ)は、固定面材ユニット４０の取付手順を示す縦断面図である。
【００３３】
固定面材ユニット４０の上部中間框４４は、図８に示すように、アルミ形材製の上部中間框室外部材４４１および上部中間框室内部材４４２と、これらを連結する樹脂製の断熱部材４４３とを有して構成されている。上部中間框室外部材４４１は、室外側にて上下に延びる上部中間框前面部４４４と、上部中間框前面部４４４の上端部から室内側に延び室外側に下がり勾配を有した上部中間框傾斜面部４４５と、この上部中間框傾斜面部４４５の室内側端部から上方に延びる中間突片部としての上部中間框背面部４４６と、上部中間框背面部４４６の上端部から室外側に突出した上部突出片部４４７とを有して形成されている。この上部中間框４４において、上部中間框前面部４４４と上部中間框室内部材４４２とは、互いに見込み方向に対向して配置されており、これらの間に下方に開口した面材保持部４４Ａが形成されている。この面材保持部４４Ａには、ガスケット４８１を介して固定ガラスパネル４８の上端縁が保持されるようになっている。
【００３４】
以上のような上部中間框４４における上部中間框背面部４４６および上部突出片部４４７は、通気部材４６２の通気背面部４６４および上部突出片部４６７と略同様の断面形態を有して形成されるとともに、通気部材４６２の通気前面部４６３の室内側に対向して位置するようになっており、上部中間框４４と通気部材４６２との間に中間部通気経路４４８が形成されている。そして、上部突出片部４４７は、中間部通気経路４４８に入った雨水等を阻止する水返し片として機能するように構成されている。さらに、上部中間框前面部４４４には、通気前面部４６３と同様の凹凸形状が形成されている。また、上部中間框４４の上部中間框室外部材４４１室内側端部には、上部可動障子２０の下框２２と係合可能な煙返し４４９が形成されており、閉鎖位置にある上部可動障子２０の下框２２が煙返し４４９に係合することで、上部可動障子２０が固定面材ユニット４０側（室外側）に引き寄せられるようになっている。
【００３５】
次に、固定面材ユニット４０の下部中間框４５は、図９に示すように、アルミ形材製の一体成形部材であって、室外側上端部にて上下に延びる下部中間框前面部４５１と、この下部中間框前面部４５１の室内側に対向する下部中間框背面部４５２とを有して形成されている。そして、下部中間框前面部４５１と下部中間框背面部４５２との間には、上方に開口した面材保持部４５Ａが形成されており、この面材保持部４５Ａには、ガスケット４８１を介して固定ガラスパネル４８の下端縁が保持されるようになっている。さらに、下部中間框４５は、下部中間框前面部４５１よりも下方に位置する第２前面部４５３および第３前面部（中間突片部）４５４と、これらを結んで室内側に凹んだ凹面部４５５と、下部中間框背面部４５２に連続して下方に延び第２前面部４５３の室内側に対向する第２背面部４５６と、第３前面部４５４の下端部から室内側に突出した下部突出片部４５７とを有して形成されている。
【００３６】
以上のような下部中間框４５における第３前面部４５４および下部突出片部４５７は、通気部材４７２の通気前面部４７３および下部突出片部４７６と略同様の断面形態を有して形成されるとともに、通気部材４７２の通気背面部４７４の室外側に対向して位置するようになっており、下部中間框４５と通気部材４７２との間に中間部通気経路４５８が形成されている。そして、下部中間框４５の下部中間框前面部４５１、第２前面部４５３および第３前面部４５４には、通気前面部４７３と同様の凹凸形状が形成されている。また、下部中間框４５の下部中間框背面部４５２には、下部可動障子３０の上框３１と係合可能な煙返し４５９が形成されており、閉鎖位置にある下部可動障子３０の上框３１が煙返し４５９に係合することで、下部可動障子３０が固定面材ユニット４０側（室外側）に引き寄せられるようになっている。
【００３７】
また、固定面材ユニット４０の縦框４３は、図１０に示すように、アルミ形材製の一体成形部材であって、見込み方向に延びる一対の見込み面部４３１，４３２と、これらの見込み面部４３１，４３２に連続して見付け方向内側に延びる室内側見付け面部４３３および室外側見付け面部４３４と、室外側見付け面部４３４に連続して見付け方向外側に延びる突出片部４３５とを有して形成されている。そして、見込み面部４３１，４３２の室内側端部および突出片部４３５の先端部には、それぞれ室内側に突出した気密部材４３６，４３７が取り付けられており、気密部材４３６が縦枠１３の突出片部１３４に当接し、気密部材４３７が縦枠中空部１３５に当接に当接するようになっている。また、室内側見付け面部４３３と室外側見付け面部４３４とは、互いに見込み方向に対向して設けられ、これらの間には、見付け方向内側に開口した面材保持部４３Ａが形成されており、この面材保持部４３Ａには、ガスケット４８１を介して固定ガラスパネル４８の側端縁が保持されるようになっている。以上のような縦框４３は、室内側から縦枠１３の突出片部１３４を貫通する固着具としてのビス４３８が室内側見付け面部４３３に螺合することによって、縦枠１３に固定されるようになっている。これらのビス４３８は、前記縦枠カバー部材１３６で覆われる位置、すなわち上部可動障子２０および下部可動障子３０の開閉移動範囲を外れた位置に設けられている。
【００３８】
一方、固定面材ユニット４０における上部通気面材４６および下部通気面材４７の室内側に取り付けられる網戸４９は、図４〜図６、図８および図９に示すように、それぞれアルミ形材製の上框４９１、下框４９２、および左右の縦框４９３を四周框組みするとともに、これらの室外側に防虫ネット４９４を取り付けて構成されている。この網戸４９は、下框４９２に固定した係止部材４９５を上部中間框４４または下框４２に係止させるとともに、上框４９１に取り付けたラッチ４９６を上框４１または下部中間框４５に係止させることで、固定面材ユニット４０に取り付けられるようになっている。ここで、固定面材ユニット４０の上框４１および下部中間框４５には、ラッチ４９６を係止する係止部材４９７が固定されている。そして、網戸４９は、ラッチ４９６を係止部材４９７から外すことで固定面材ユニット４０から室内側に取り外し可能になっており、上部可動障子２０および下部可動障子３０を開放した状態で室内側から脱着できるように構成されている。
【００３９】
以上の固定面材ユニット４０は、図１１(Ａ)〜(Ｃ)に示す手順によって、上下けんどん式に窓枠１０に取り付けられる。
先ず、図１１(Ａ)および図７に示すように、上部中間框４４、下部中間框４５、上部通気面材４６、下部通気面材４７、および固定ガラスパネル４８を上框４１、下框４２および左右の縦框４３で囲んでユニット枠４０Ａを框組みすることで、固定面材ユニット４０をユニット化しておく。この固定面材ユニット４０の左右の縦框４３上端部には、窓枠１０の上枠１１に係止される被係止部材４３９が固定されている。そして、図１１(Ａ)に示すように、室外側から固定面材ユニット４０の上端部（上框４１および縦框４３上端部）を、建物に固定された窓枠１０の上枠１１における先端見付け面部１１４と第２突出片部１１６との間に挿入する。この際、被係止部材４３９が上枠１１の第１突出片部１１５よりも室内側に位置するように固定面材ユニット４０全体を上方に持ち上げる。
【００４０】
次に、図１１(Ｂ)に示すように、固定面材ユニット４０の下端部（下框４２および縦框４３下端部）を室内側に押し込んで、下框４２が下枠１２の上方に位置するように固定面材ユニット４０全体を略垂直に支持する。
そして、図１１(Ｃ)に示すように、固定面材ユニット４０全体を下方に降ろし、下框４２の室外側載置片部４２１および室内側載置片部４２２を下枠上面部１２５に載置する。この際、室内側載置片部４２２が下枠１２の突起部１２８よりも室内側に位置するように固定面材ユニット４０を下降させ、室内側載置片部４２２が突起部１２８に係止されるようにする。さらに、固定面材ユニット４０を下降させた状態において、縦框４３上端部の被係止部材４３９が上枠１１の第１突出片部１１５に係止されるようになっている。このように固定面材ユニット４０の上端部および下端部を上枠１１および下枠１２に係止させた状態において、室内側から縦枠１３の突出片部１３４を貫通してビス４３８を縦框４３に螺合して固定面材ユニット４０を窓枠１０に固定する。
【００４１】
このような本実施形態によれば、以下のような効果がある。
（１）すなわち、固定面材ユニット４０において、上部通気面材４６および下部通気面材４７と、固定ガラスパネル４８とが、上部中間框４４または下部中間框４５を介して上下に隣接して同一面内に配置され、この固定面材ユニット４０が窓枠１０内部に取り付けられているので、通気面材が窓枠１０から室外側に突出せず、窓枠１０の見込み寸法の拡大を防止することができる。そして、固定面材ユニット４０の室外面および室内面がいずれも凹凸のないフラットに形成されているので、上げ下げ窓１の外観意匠性を良好にできる。
【００４２】
（２）また、固定面材ユニット４０がユニット化された状態で窓枠１０に建て込まれることで、取付施工性を向上させることができる。さらに、上下けんどん式で固定面材ユニット４０が窓枠１０に建て込まれるとともに、その上下端部が上枠１１および下枠１２に係止された状態で、室内側からのビス４３８で縦框４３が縦枠１３に固定されるので、固定面材ユニット４０の固定作業を室内側から容易に実施することができ、施工性をさらに向上させることができる。
【００４３】
（３）また、上部通気面材４６および下部通気面材４７として、複数の通気部材４６２，４７２を有したガラリ形状のものを利用したことで、防犯性を向上させることができる。さらに、通気部材４６２，４７２同士の間に形成される通気経路４６８，４７８の室外側開口が室内側開口よりも下方に設けられる、つまり室内外に渡る通気経路４６８，４７８が下方に向いた室外側開口を有して形成されることで、雨の降り込みが防止でき、雨天であっても上下の可動障子２０，３０を開放して通気することができ、室内の快適性を向上させることができる。
【００４４】
（４）さらに、固定面材ユニット４０の上框４１、下框４２、上部中間框４４および下部中間框４５が、通気部材４６２，４７２と略同様な形態を有して形成され、通気部材４６２，４７２との間に、上端部通気経路４１８、下端部通気経路４２８、中間部通気経路４４８，４５８が形成されているので、通気性能を向上させることができる。また、上框４１、下框４２、上部中間框４４および下部中間框４５と、通気部材４６２，４７２との外観デザインが共通化されることで、上げ下げ窓１の外観意匠性をさらに良好にできる。
【００４５】
（５）また、固定面材ユニット４０の上部中間框４４および下部中間框４５が通気部材４６２，４７２と略同様な形態を有するとともに、固定ガラスパネル４８を保持する面材保持部４４Ａ，４５Ａを有して形成されているので、固定ガラスパネル４８を保持するための框材を別途設ける必要がなく、固定面材ユニット４０の構造を簡単化することができるとともに、外観デザインの連続性による良好な意匠が確保できる。
【００４６】
（６）また、上部可動障子２０および下部可動障子３０と、上部通気面材４６および下部通気面材４７とを設けたことで、上下に離れた位置に通気開口が形成されるので、内気および外気の温度差を利用した重力換気が実施でき、通気効率を高めて快適な室内環境を得ることができる。さらに、上部通気面材４６および下部通気面材４７の間である中間的な高さ位置に固定ガラスパネル４８が設けられているので、効率よく外光を室内に取り込むとともに、視界の開けた開放的な上げ下げ窓１を構成することができる。
【００４７】
（７）さらに、固定面材ユニット４０の上部通気面材４６および下部通気面材４７の室内側に網戸４９が取り付けられているので、通気状態における虫等の侵入も防止することができるとともに、網戸４９が室外側から見えないため上げ下げ窓１の外観意匠性が確保できる。そして、上下の可動障子２０，３０を開放した状態で室内側から網戸４９が脱着可能になっているので、上部通気面材４６および下部通気面材４７を取り外さなくても室内側から網戸４９を取り外して清掃することが可能になり、上げ下げ窓１の美観を維持することができる。
【００４８】
なお、本発明は、前記実施形態に限定されるものではなく、本発明の目的を達成できる他の構成等を含み、以下に示すような変形等も本発明に含まれる。
例えば、前記実施形態においては、上げ下げ窓１が上下一対の２枚の障子（上部可動障子２０および下部可動障子３０）を有して構成されていたが、これに限らず、可動障子が１枚であってもよく、また３枚以上の可動障子を有して構成されていてもよい。可動障子が１枚の場合には、固定面材ユニット４０のユニット枠内部が中間框材によって上下二段に仕切られ、上下二段のうちの一方に通気面材が支持され、他方に室外面材が支持されるとともに、通気面材の室内側に閉鎖位置の可動障子が設けられるような構成であればよい。また、３枚以上の可動障子を有する建具を構成する場合には、閉鎖位置にある可動障子の室外側に重なるように、可動障子と同数の通気面材が配置されるとともに、これらの通気面材と同一面内の上下に隣接して１枚または複数枚の室外面材が配置され、これらの通気面材と室外面材との間に複数の中間框材が設けられていればよい。
また、前記実施形態では、固定面材ユニット４０をユニット化して上下けんどん式に窓枠１０に取り付ける構成を採用したが、上部可動障子２０および下部可動障子３０を適宜な枠体に支持させて室内側面状体としてユニット化し、この室内側面状体を窓枠１０に取り付ける構成を採用してもよい。
【００４９】
また、前記実施形態では、通気面材として、複数の通気部材４６２，４７２が全体クランク状に形成され、室外側開口が室内側開口よりも下方に位置する通気経路４６８，４７８を構成するものを採用したが、このような形態に限定されない。すなわち、通気部材としては、見込み方向の中央部が高い断面略山形状に形成され、通気経路の室外側および室内側の開口がそれぞれ通気部材の中央部よりも低い位置に形成されたものでもよい。また、通気面材として、複数の通気部材４６２，４７２を有した上部通気面材４６および下部通気面材４７のように、ガラリ形状に形成されて防犯性や防雨性を有したものを採用したが、通気面材の形態はガラリ形状のものに限定されない。すなわち、通気面材としては、例えば、複数の横材または縦材を有した格子形状のものでもよく、また金網状のものやネット状のものでもよい。
さらに、前記実施形態では、通気面材の室内側に防虫ネット４９４を有した網戸４９を取り付けたが、この網戸は必須ではなく、省略されてもよい。さらに、網戸の形態としては、上下左右の框を有したものに限らず、防虫ネット単体を面ファスナー等で通気面材の室内側に貼り付けたものでもよい。
【００５０】
また、前記実施形態では、固定面材ユニット４０の上下端部を上枠１１および下枠１２に係止させるとともに縦框４３をビス４３８で縦枠１３に固定し、窓枠１０に対して固定面材ユニット４０を移動不能に取り付けたが、以下の図１２に示すように、固定面材ユニット４０を窓枠１０に対して開閉可能に取り付けてもよい。なお、図１２に示すように固定面材ユニット４０全体が開閉可能に支持されたものに限らず、固定ガラスパネル４８や上部通気面材４６、下部通気面材４７が、それぞれ独立して開閉可能に支持されていてもよい。
【００５１】
図１２に示す上げ下げ窓１Ａにおいて、固定面材ユニット４０は、複数のリンク部材から構成され、上枠１１と上框４１とを連結する支持装置５０と、図示を省略するが下枠１２と下框４２とを連結する同様の支持装置によって、外開きの縦辷出し形式で開閉可能に支持されている。この固定面材ユニット４０は、通常使用状態においては、前記ビス４３８と同様の固定構造で縦框４３が縦枠１３に固定されて開閉不能になっているが、清掃時には固定を解除することで開放できるように構成されている。従って、固定面材ユニット４０を開放することで、縦枠１３との隙間を介して室内側から固定ガラスパネル４８の室外面が清掃でき、例えば２階などの室外側から手が届きにくい場所に当該上げ下げ窓１Ａを設置した場合でも、比較的容易に室外面の清掃を実施することができる。
【００５２】
また、本発明の建具では、以下の図１３に示すように、窓枠１０に対して固定面材ユニット４０の上方への移動を規制する規制部材が設けられていてもよい。
すなわち、図１３において、固定面材ユニット４０の上框４１に固定されるとともに網戸４９の上框４９１を係止する係止部材４９７Ａは、上枠１１の第２突出片部１１６の下方位置まで室内側に延びて設けられている。この係止部材４９７Ａと第２突出片部１１６との隙間寸法は、下枠１２の突起部１２８の突出寸法よりも小さく設定されているとともに、係止部材４９７Ａは、固定面材ユニット４０を窓枠１０にけんどん式に建て込んでから上框４１に固定されるようになっている。このため、窓枠１０に係止された固定面材ユニット４０を上方へ移動させようとしても、係止部材４９７Ａが第２突出片部１１６に当接して固定面材ユニット４０の移動を規制できるように構成されている。すなわち、係止部材４９７Ａによって規制部材が構成されている。従って、上下けんどん式で建て込んだ固定面材ユニット４０が窓枠１０から外れて脱落することが防止できるとともに、網戸４９を係止する係止部材４９７Ａを規制部材と兼用できることから、部品点数を削減することができる。また、図１３において、係止部材４９７Ａの内部には、網戸４９の上框４９１を下方に付勢するばね（付勢手段）４９６Ａが設けられており、このばね４９６Ａに上框４９１を押し付けるようにして網戸４９を持ち上げることで、図８に示す下框４９２の係止部材４９５の係止が外れ、網戸４９が固定面材ユニット４０から取り外し可能になっている。一方、上框４９１を係止部材４９７Ａの内部に挿入してばね４９６Ａを押し上げた状態で下框４９２の係止部材４９５を上部中間框４４（または下框４２）に係止させることで、網戸４９が上下けんどん式で取り付けられるようになっている。
【００５３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５４】
【図１】本発明の実施形態に係る建具を室外側から見た正面図である。
【図２】前記建具を示す縦断面図である。
【図３】前記建具を示す横断面図である。
【図４】前記建具を示す横断面図である。
【図５】前記建具の上部を拡大して示す縦断面図である。
【図６】前記建具の下部を拡大して示す縦断面図である。
【図７】前記建具から室外側面状体を外した状態を示す分解斜視図である。
【図８】前記室外側面状体の要部を拡大して示す縦断面図である。
【図９】前記室外側面状体の要部を拡大して示す縦断面図である。
【図１０】前記室外側面状体の固定構造を示す横断面図である。
【図１１】前記室外側面状体の取付手順を示す縦断面図である。
【図１２】本発明の変形例に係る建具を示す斜視図である。
【図１３】本発明の他の変形例に係る建具の上部を拡大して示す縦断面図である。
【符号の説明】
【００５５】
１，１Ａ…上げ下げ窓（建具）、１０…窓枠、２０…上部可動障子、２２…下框（召合せ框）、３０…下部可動障子、３１…上框（召合せ框）、４０…固定面材ユニット（室外側面状体）、４０Ａ…ユニット枠（面状体枠）、４１…上框、４２…下框、４３…縦框、４４…上部中間框（中間框材）、４５…下部中間框（中間框材）、４６…上部通気面材、４７…下部通気面材、４８…固定ガラスパネル（室外面材）、４９…網戸、４１６…上框垂下面部（突片部）、４１８…上端部通気経路、４２４…下框背面部（突片部）、４２８…下端部通気経路、４３８…ビス（固着具）、４４６…上部中間框背面部（中間突片部）、４４８，４５８…中間部通気経路、４５４…第３前面部（中間突片部）、４６２，４７２…通気部材、４６８，４７８…通気経路、４９４…防虫ネット、４９７Ａ…係止部材（規制部材）。
【図１】
0004891202.tif 000002
【図２】
0004891202.tif 000003
【図３】
0004891202.tif 000004
【図４】
0004891202.tif 000005
【図５】
0004891202.tif 000006
【図６】
0004891202.tif 000007
【図７】
0004891202.tif 000008
【図８】
0004891202.tif 000009
【図９】
0004891202.tif 000010
【図１０】
0004891202.tif 000011
【図１１】
0004891202.tif 000012
【図１２】
0004891202.tif 000013
【図１３】
0004891202.tif 000014